(57)【要約】【課題】浴槽水循環配管を取り外すことなく、当該配管を洗浄することができ、レジオネラ菌のような病原性微生物の発生を確実に抑制することができる循環浄化装置を得ることにある。【解決手段】浴槽水循環配管２と、ろ過設備５と、消毒剤添加設備４とからなる循環浄化装置において、前記浴槽水循環配管２を洗浄する循環配管洗浄設備７を備えたものである。【選択図】        図１
2005021496.tif 000002
【特許請求の範囲】
【請求項１】
浴槽水循環配管と、ろ過設備と、消毒剤添加設備とからなる循環浄化装置において、前記浴槽水循環配管を洗浄する循環配管洗浄設備を備えたことを特徴とする循環浄化装置。
【請求項２】
前記循環配管洗浄設備の洗浄手段はクリーニングボールであることを特徴とする請求項１記載の循環浄化装置。
【請求項３】
前記浴槽水循環配管は、抗菌材を含有することを特徴とする請求項１または請求項２記載の循環浄化装置。
【請求項４】
前記浴槽水循環配管は、内壁を抗菌材で被覆することを特徴とする請求項１から請求項３のいずれかに記載の循環浄化装置。
【請求項５】
浴槽水の循環入口側と循環出口側を接続するバイパス管を備えることを特徴とする請求項１から請求項４のいずれかに記載の循環浄化装置。
【発明の詳細な説明】
【０００１】
【発明の属する技術分野】
本発明、浴場設備や親水設備等の循環浄化装置に関し、特にその循環浄化装置における循環配管内の洗浄に係わるものである。
【０００２】
【従来の技術】
浴槽水や温泉水、プール、親水を対象とする、例えば、従来の沸かし湯用の循環浄化装置は、ポンプの作用により浴槽内の湯を汲み上げてろ過することにより、湯中の垢やごみ等を除去し、吐出管を通して再び浴槽内に戻し循環させる場合が殆どである。このような循環浄化装置では、吸入管から吐出管までの流路の途中に消毒剤添加設備を設けている。
例えば、浴場施設の場合、浴槽に浴槽水を導入する吸込口と装置内に浄化された浴槽水を返送する吐出口を設け、導入口と吐出口との間に循環配管を設け、毛髪やごみ等を捕捉するヘアキャッチャー、浴槽水を強制循環させる循環ポンプ、浴槽水に塩素を注入して消毒する塩素注入設備、浴槽水をろ過するろ過器、浴槽水を昇温する熱交換器で循環浄化装置を構成している。
このような浴場施設においては、湯の循環浄化により垢等が除去されるので、湯を入れ替える期間を延ばすことができ、数日にわたって同じ湯を使用することが多い。ところが、同じ湯を長期間に渡ってしようすると病原性微生物、例えばレジオネラ菌が発生することが判明した。
【０００３】
殊に、浴槽やプールなど、不特定多数の人間が使用する循環水設備では、毛髪等による汚染だけではなく、病原性微生物の繁殖による汚染が発生している。
特に、温泉等の公衆浴場においては、病原性微生物などによる感染事故が発生しており、水質改善及び病原性微生物への対策が必要とされている。
【０００４】
このような問題を解消するための従来技術として、例えば、ろ過による夾雑物の除去を行った後、紫外線を照射して消毒する装置も提案されているが、残留性がないため消毒効果が十分とはいえない。これは、病原性微生物は、水に浮遊している場合は、消毒設備によって不活性化が可能であるが、配管や浴槽などに湯垢などが沈殿してスライム内に生息している場合は、消毒効果が及ばないため不活化できないことがあり、病原性微生物の発生が増大し易い。また、同じくろ過後に紫外線照射及びオゾンと接触させることで消毒させる方法や、ろ過後に薬品注入による消毒を行う方法が挙げられる。
【０００５】
その消毒に塩素系薬剤を用いた場合、アルカリ性の温泉水など、被処理液の水質によっては効果が低下する。また、これらの技術では、いずれも微生物が配管内に付着した生物膜を主とした汚染物質により、循環水が汚染される可能性がある。微生物自体は塩素に対する耐性を有していないが、微生物がアメーバ等の耐塩素性を有する微生物に取り込まれることで、薬剤による効果は低くなる。
このため、消毒後の配管中で微生物が発生することがあり、配管中の微生物発生の抑制が必要とされる。あるいは、装置内の配管洗浄を行えるような配管もしくは洗浄設備を有する必要がある。
【０００６】
なお、上記先行技術は当業者一般に知られた技術であって、文献公知発明に係るものではない。
【０００７】
【発明が解決しようとする課題】
従来、浴場設備や親水設備等の消毒作業は、人為的に専用の器具を使って行われており、さらには、塩素剤を直接投入したり、浴槽水の交換を行うことで実施していたが、専用の器具が必要であるため、配管口径や形状など適応外のものについては洗浄が困難もしくは洗浄不可能になるという問題点があった。それ故、殺菌洗浄後でも短時間でレジオネラ菌が再検出されたりするなど、特に槽内水循環配管内での病原性微生物の発生を抑制できなくなるという課題があった。
また、浴槽水循環配管内の洗浄に際しては、当該配管を取り外し高圧の流体などを流さなければならず、その作業は多くの時間と労力を要し作業性が非常に悪いという課題があった。
さらに、浴槽水循環配管の設置場所は狭い場合が多く、メンテナンススペースが狭かったり、浴槽水循環配管に曲がり部が多くなったりするため、浴槽水循環配管の洗浄作業に支障を来すことが多く問題となっていた。
さらには、浴槽水循環配管の流路中に複数の機器が接続・設置されており、浴槽循環水の吸込口や吐出口から洗浄具を挿入しても、浴槽水循環配管の流路全体を洗浄することができないという課題があった。
このため、機器間の浴槽水循環配管それぞれを個々に洗浄する必要があるが、通常の浴槽水循環配管では、洗浄具を挿入する挿入口は、浴槽循環水の吸込口および吐出口以外には、あっても全体で１箇所程度しかないのが一般的である。
そこで、従来は、洗浄したい機器間循環配管のフランジ接続部（曲がり部やバルブ接続部等）の一部を取り外して開口を設け、そこに洗浄具を挿入することで、浴槽水循環配管内を洗浄していたが、このような人為的洗浄作業は、多くの時間と労力を費やし、作業性が非常に悪く、コスト高になるうえ、洗浄効率も悪いなどの課題があった。
また、浴槽水循環配管には保温材が巻装されているため、当該配管の解体に対して困難を伴う場合が多く、長期間の停止が必要であった。そのため、多大な労力と時間がかかることになり、容易に掃除することができないので、浴槽水循環配管洗浄の間隔が空きがちになり、その結果、生物膜の増殖を招き公衆浴場や宿泊施設の浴場・温泉などでは問題となっていた。
また、洗浄直前時期までに、レジオネラ菌類が増殖する恐れがあり、浴槽水循環配管内の汚染に気付き難いという課題があった。さらには、浴槽水循環配管内部の汚れを取り除くことが困難なために当該配管内が、閉塞する恐れがあった。前述のような人為的洗浄作業は、作業員が汚れ易く作業環境が悪いという課題があった。
【０００８】
本発明は上記のような課題を一挙に解決するためになされたもので、浴槽水循環配管を取り外すことなく、当該配管を洗浄することができ、レジオネラ菌のような病原性微生物の発生を確実に抑制することができる循環浄化装置を提供することを目的とする。
【０００９】
【課題を解決するための手段】
本発明に係る循環浄化装置は、浴槽水循環配管と、ろ過設備と、消毒剤添加設備とからなり、前記浴槽水循環配管を洗浄する循環配管洗浄設備を備えたことを特徴とするものである。
【００１０】
本発明に係る循環浄化装置は、前記循環配管洗浄設備の洗浄手段がクリーニングボールからなることを特徴とするものである。
【００１１】
本発明に係る循環浄化装置は、前記浴槽水循環配管が抗菌材を含有することを特徴とするものである。
【００１２】
本発明に係る循環浄化装置は、前記浴槽水循環配管の内壁が抗菌材で被覆されていることを特徴とするものである。
【００１３】
本発明に係る循環浄化装置は、浴槽水の循環入口側と循環出口側を接続するバイパス管を備えていることを特徴とするものである。
【００１４】
【発明の実施の形態】
以下、この発明の実施の一形態を説明する。
実施の形態１．
図１はこの発明の実施の形態１による循環浄化装置の基本構成を示すフローシート図である。
この実施の形態１による循環浄化装置は、浴槽やプール等の槽１と、この槽１に接続配管されて当該浴槽水（例えば、浴槽水や温泉水、プール水、親水等複数人が使用した水を循環利用する場合の水を言う）を浄化対象の被処理水として循環させる浴槽水循環配管２とを備え、その浴槽水循環配管２に循環ポンプ３と消毒剤添加設備４とろ過設備５のそれぞれを配設した基本構成に加え、前記浴槽水循環配管２内を洗浄する循環配管洗浄設備７を備えた構造を特徴とするものである。
なお、紫外線照射設備６を設けることで、より消毒効果が良好となる。
【００１５】
次に、上記実施の形態１の動作について説明する。
循環ポンプ３を稼働させることで、槽１内の被処理水を浴槽水循環配管２により循環させている状態において、前記浴槽水循環配管２内の循環水には、消毒剤添加設備４から消毒剤が添加される。その消毒剤としては次亜塩素酸ナトリウムがポンプで注入される。その注入後の前記循環水は次にろ過設備５で夾雑物が除去される。さらに、紫外線照射設備６を設けることによって、前記循環水に残留した細菌類の不活化が行われ、その不活化後の処理水が槽１内に戻ることにより、槽１内の被処理水が浄化される。なお、前記紫外線照射設備６は複数を設けることにより、浄化効果をいっそう高めることができる。
また、紫外線照射設備６を槽１に直付けすると、消毒剤添加設備４から槽１までの汚染源となる浴槽水循環配管がないので、浴槽水循環配管の汚れによるレジオネラ菌等の汚染源とならず、また、紫外線照射設備６は槽１の直近であっても紫外線は残留性が無いため、浴槽利用者への消毒作用による害は皆無であるので、このような設置も有効である。
【００１６】
上述した浴槽水の循環サイクルでは、被処理水（循環水）中に含まれる夾雑物やレジオネラ菌等が除去されるが、その被処理水の循環を続けるうちに、浴槽水循環配管２内には病原性微生物（例えばレジオネラ菌）を含む生物膜が付着する恐れがある。
そこで、浴槽水循環配管２では、被処理水中に循環配管洗浄設備７から配管洗浄剤を注入する。その配管洗浄剤としては、浴槽水循環配管２の材質の腐食を考慮して、高濃度（５〜１０ｍｇ／Ｌ程度に配管内でなるようにする。）の塩素剤を被処理水に注入し、その塩素剤を含む被処理水を循環させる。ここで、循環配管洗浄設備７は、浴槽水循環配管２の大部分を洗浄できる位置に配置すると共に、槽内水が汚染されないように、槽１における浴槽水循環配管２の入口（循環水戻り口）側と出口（循環水吐出口）側には配管コネクタを設け、その配管コネクタを介して前記入口側と出口側をバイパス管で接続する。そのバイパス管は槽１の内部または外部のいずれに配設されてもよい。
【００１７】
このようにバイパス管を接続した状態で、上述のように高濃度の塩素剤を浴槽水循環配管２内の循環水に注入することで、浴槽水循環配管２を解体することなく、当該浴槽水循環配管２内に付着したレジオネラ菌等の病原性微生物を含む生物膜を除去することが可能となる。また、上述のように、浴槽水循環配管２を解体する必要がないため、当該浴槽水循環配管２内の洗浄に伴う装置停止時間を大幅に短縮することができる。
【００１８】
前記消毒剤添加設備４による消毒は、伝染病や汚染と密接な関係がある病原性微生物の感染力をなくし、被処理水の衛生的な安全性を高める目的で行うものである。ここで、殺菌について述べると、殺菌は微生物の生活力をなくすことで、細菌であれば細胞膜を破壊したり、ウイルスであれば核酸を破壊して不活化させることを指し、前記消毒剤添加設備４による消毒は、その殺菌をも含むものである。
【００１９】
前記浴槽水循環配管２に関して、その配管中には、水と共に温泉沈殿物や人体の老廃物等の固形物が流れており、循環流速が速すぎても遅すぎても前記固形物が水と共に流れず沈降して配管内に堆積してしまう。そのため、配管内が適切な流速（例えば、０．６〜２．０ｍ／ｓｅｃ程度）となるように前記循環ポンプ３を選定すると、温泉沈殿物や人体からの老廃物など固形物の堆積を防止することができ、配管内での生物膜の生成を抑制することができる。また、浴槽水循環配管２の曲がり等を最小限にすることや、凹凸配管を最小限にすると、なお効果的である。
【００２０】
このような浴槽水循環配管２の管材としては、抗菌材を用いた配管とすることが望ましく、その設置に関して費用などの問題がある場合は、消毒剤添加設備４から浴槽等の槽１までの間とすることが望ましい。また、消毒剤添加設備４以降の配管等にスライムが発生しないようして、病原性微生物フリーの処理水を浴槽などに供給するために、浴槽水循環配管２として、当該配管に銅、銀、ニッケル等の抗菌材を含有させた配管としたり、あるいは内面をコーティングした管などを用いることで、スライムの発生がないようにする。例えば、銀系抗菌材（チオスルファルト銀錯塩）を用いる場合、配管用樹脂に前記銀系抗菌材を１〜５％含有させることが好ましい。
【００２１】
また、前記消毒剤添加設備４以降の配管に発生したスライムに関しては、例えばクリーニングボールを投入して回収するという物理的除去とすることも可能であり、このようなクリーニングボールによるスライムの物理的除去に関しては後述する実施の形態で説明する。
【００２２】
図２は図１の循環浄化装置を具現化したフローシート図であり、後述する実施例１に適用したもので、図１と同一部分には同一符号を付して重複説明を省略する。
図２において、８は槽１の底部に接続された浴槽水循環配管２の吸込口（槽内水吸込口）、９は槽１の側壁部に接続された浴槽水循環配管２の吐出口（循環水吐出口）である。なお、浴槽水循環配管２の吸込口８と吐出口９の槽１に対する接続位置は前述のように槽１の底部と側壁部に特定されるものではない。１０は浴槽水循環配管２の吸込口８側に設けられた三方弁、１１は浴槽水循環配管２の吐出口９側に設けられた三方弁であり、これらの三方弁１０，１１にはバイパス管１２が接続してある。また、浴槽水循環配管２の吸込口８と吐出口９には配管コネクタホース１３を着脱自在に接続可能とすることも良い。その接続手段については後述する。
【００２３】
１４は浴槽水循環配管２における吸込口８側の三方弁１０と循環ポンプ３との間に設けられたヘアキャッチャーであり、このヘアキャッチャー１４の二次側にはバルブ１５が設けられている。１６は前記ヘアキャッチャー１４とバルブ１５との間で浴槽水循環配管２から分岐して排水槽１７に至る排水管であり、この排水管１６にはバルブ１８が設けられている。１６ａはろ過設備５からの排水を前記排水槽１７に導く排水管であり、この排水管１６ａにはバルブ１９が設けられている。２０が浴槽水循環配管２に洗浄用の補給水を供給するための補給水槽であり、この補給水槽２０には補給水供給源（図示せず）からの一次側補給水管２１がバルブ２２を介して接続されている。また、前記補給水槽２０には二次側補給水管２３が接続され、この二次側補給水管２３は、前記ヘアキャッチャー１４の二次側バルブ１５と循環ポンプ３との間で浴槽水循環配管２に接続され、その二次側補給水管２３にはバルブ２４が設けられている。さらに、前記浴槽水循環配管２において、ろ過設備３の一次側と二次側には三方弁２５，２６が設けられ、これらの三方弁２５，２６にはろ過設備バイパス管２７が接続され、紫外線照射設備６の二次側には熱交換器２８が配置されている。
【００２４】
次に、配管コネクタホース１３の接続手段について説明する。
図３（Ａ）は配管コネクタ接続部の分離状態を示す断面図、図３（Ｂ）は配管コネクタ接続状態を示す図、図４（Ａ）は浴槽水循環時の配管コネクタ接続部付近の断面図、図４（Ｂ）は浴槽水循環配管洗浄時の配管コネクタ接続部付近の断面図である。
図３において、３０は浴槽水循環配管２の吸込口８側および吐出口９側の近傍外周にそれぞれ一体形成された吸込口本体または吐出口本体であり、この吸込口本体または吐出口本体３０内の中心部に浴槽水循環配管２の吸込口８側の管端部または吐出口９側の管端部がそれぞれ延出しており、それらの管端部外周には係止溝３１が設けられている。
【００２５】
３２は浴槽水循環配管２の管端部外周に挿脱可能に嵌め込む配管コネクタ本体となる継手本体であり、この継手本体３２には、浴槽水循環配管２の管端部に対する嵌め込み位置で前記係止溝３１に合致するボール嵌合孔３３が設けられ、このボール嵌合孔３３には係止ボール３４が嵌め込まれている。３５は継手本体３２の外周に軸方向へスライド自在に嵌合されたスリーブ、３６はそのスリーブ３５を前記係止ボール３４の押圧方向に付勢するスプリングであり、このスプリング３６の付勢力で前記スリーブ３５が移動することにより、当該スリーブ３５で前記係止ボール３４が前記係止溝３１に押圧係合されて継手本体３２がシール材３７を介して浴槽水循環配管２の管端部に対し液密状態に接続されるようになっている。
【００２６】
ここで、前記係止ボール３３は、通常時は、スプリング３６の付勢力で移動したスリーブ３５により、継手本体３２の内面に一部が押し出された状態で固定されており、浴槽水循環配管２の管端部には挿入接続できない状態となっている。この状態からスリーブ３５をスプリング３６の付勢力と逆方向に引くことにより、前記係止ボール３３は継手本体３２の径方向外方に移動可能な状態となり、継手本体３２を浴槽水循環配管２の管端部に挿入接続可能となる。その挿入接続後は、スプリング３６の付勢力によるスリーブ３５の移動で係止ボール３４が浴槽水循環配管２の係止溝３１に押し込み係合されることで、配管コネクタとしての継手本体３２が浴槽水循環配管２から外れなくなる。
【００２７】
３８は継手本体３２における浴槽水循環配管２の接続側外周に設けられ前記スプリング３６の付勢力による前記スリーブ３５の移動位置を規制して当該スリーブ３５の脱落を防止するストッパーリング、３９は継手本体３２に螺合されＯリング４０を介して可撓性の配管コネクタホース４１を継手本体３２に締付け固定する締付ナットである。ここで、継手本体３２における配管コネクタホース４１との接続部はカップリング継手の雌型形状に形成され、配管コネクタホース４１の継手本体３２との接続部はカップリング継手の雄型形状に形成され、その両者を雌雄係合させた状態でＯリング４０を介して締付ナット３９で締付け固定されるものである。
【００２８】
前記浴槽水循環配管２の吸込口本体または吐出口本体３０の開口側内周壁には、図４に示すように、円形のストレーナ４２を係止させるための係止突起４３が２つ以上設けられている。一方、前記ストレーナ４２の周壁側裏面には、前記係止突起４３の同様に２つ以上の突起部４４が設けられている。この突起部４４には、前記係止突起４３に係合させるための係合溝４５が設けられている。そして、前記ストレーナ４２を、例えば一方向に回動させることで、前記係合溝４５が前記係止突起４４に係合されてストレーナ４２が吸込口本体または吐出口本体３０に固定され、そのストレーナ４２を逆方向に回動させることで、当該ストレーナ４２が外れるようになっている。
【００２９】
ここで、ストレーナ４２を吸込口本体または吐出口本体３０に対してネジ止めすることも出来るが、この場合、槽１内に浴槽水等を貯水した状態ではストレーナ４２を脱着し難くなる。その点、本発明の実施の形態では、上述のように、ストレーナ４２の回動操作だけで当該ストレーナ４２を脱着できる構造としたことにより、槽１内に浴槽水等が貯水された状態でもストレーナ４２の脱着を容易に行うことができて効果的である。
【００３０】
以上において、通常の浴槽水循環時には、配管コネクタの継手本体３２が浴槽水循環配管２の吸込口本体および吐出口本体３０のそれぞれから取り外され、それらの吸込口本体および吐出口本体３０のそれぞれには、図４（Ａ）に示すように、ストレーナ４２が上述した要領で取り付け固定される。この状態で循環ポンプ３を起動させると、浴槽水循環配管２の吸込口本体３０側では、図４（Ａ）中の矢印ａで示すように浴槽水がヘアキャッチャー１４へ向かって吸い込まれ、浴槽水循環配管２の吐出口本体３０側では、図４（Ａ）中の矢印ｂで示すように熱交換器２８からの循環水が槽１内に吐出される。
【００３１】
そして、浴槽水循環配管２内の洗浄に際しては、図４（Ｂ）に示すように、吸込口本体および吐出口本体３０のそれぞれからストレーナ４２が取り外され、浴槽水循環配管２の吸込口８側の管端部と吐出口９側の管端部のそれぞれに配管コネクタホース４１両端の継手本体３２が上述した要領で挿入接続・固定される。
【００３２】
実施例１．
次に、図２に示す循環浄化装置を実際に運転した結果について説明する。
まず、通常の浴槽水循環浄化に際しては、浴槽水循環配管２の吸込口８側および吐出口９側の三方弁１０，１１をバイパス管１２の遮断位置に切り替えると共に、補給水槽２０の二次側のバルブ２４を閉、ヘアキャッチャー１４の二次側のバルブ１５を開、排水管１６および１６ａのバルブ１８および１９を閉、ろ過設備５の前後の三方弁２５，２６をろ過設備バイパス管２７の遮断位置（ろ過設備５側の流路）に切り替えた。この状態において循環ポンプ３および消毒剤添加設備４の消毒剤注入ポンプ４ａを起動させた。これにより、上記実施の形態１と同様に槽１内の被処理水が浄化された。
【００３３】
次いで、浴槽水循環配管２内の洗浄運転を行った結果について説明する。その洗浄運転は次に手順で行った。
（１）循環ポンプ３および消毒剤注入ポンプ４ａを停止。
（２）槽１の吸込口８と吐出口９の三方弁１０，１１を操作し、バイパス管１２側の流路に切り替え、あるいは配管コネクタホース１３接続側の流路に切り替えた。
（３）ろ過設備５前後の三方弁２５，２６を操作し、ろ過設備バイパス管２７側の流路に切り替えた。
（４）循環配管洗浄設備７の洗浄剤注入ポンプ７ａを起動させることで、洗浄薬剤を浴槽水循環配管２内に注入した。
（５）循環ポンプ３を起動させて浴槽水循環配管２内の洗浄を開始した。
（６）その洗浄開始から所定時間経過後（浴槽水循環配管２を透明管材とすることによる生物膜除去の確認後）に、洗浄剤注入ポンプ７ａおよび循環ポンプ３を停止させた。
（７）ヘアキャッチャー１４の二次側バルブ１５を閉止し、補給水槽２０の二次側バルブを開、排水管１６のバルブ１８，１９を開とした。
（８）循環ポンプ３を再起動させた。これにより、補給水槽２０から補給水（上水）が、循環ポンプ３→ろ過設備バイパス管２７→紫外線照射設備６→熱交換器２８→バイパス管１２または配管コネクタホース１３→ヘアキャッチャー１４を経由し、浴槽水循環配管２内から除去された生物膜、薬液、不純物等と共に排水管１６から排水槽１７に排出された。
（９）上記（８）  のサイクル（補給水による浴槽水循環配管２内の洗浄・排水サイクル）を所定時間継続後に、排水管１６からの排水がきれいになった段階で、循環ポンプ３を停止し、排水管１６のバルブ１８を閉、ヘアキャッチャー１４の二次側バルブ１５を開、補給水槽２０の二次側バルブ２４を閉とした。
（１０）ろ過設備５前後の三方弁２５，２６を操作し、ろ過設備５側の流路（ろ過設備バイパス管２７を遮断する流路）に切り替えた。
その状態で、循環ポンプ３および洗浄剤注入ポンプ７ａを起動させ、次いで、槽１の吸込口８と吐出口９の三方弁１０，１１を操作し、浴槽水循環配管２側の流路（バイパス管１２を遮断する流路）に切り替えることで、浴槽水循環配管２内の洗浄を完了した。なお、前記浴槽水循環配管２の洗浄に配管コネクタホース１３を用いた場合、その配管コネクタホース１３を取り外した。
以上のような運転により、浴槽水循環配管２の洗浄に際して当該配管２を取り外すことなく、また、槽１内に浴槽水等を貯留したままの状態で浴槽水循環配管２内を効率よく自動洗浄することができ、浴槽水循環配管２内でレジオネラ菌のような病原性微生物が発生するのを抑制することができた。
【００３４】
なお、上記実施例１（図２の本発明装置）において、三方弁１０，１１，２５，２６は、ボールバルブが通常であるが、弁内で流路径が縮径しないフルボアタイプとすることが好ましい。
また、消毒剤添加設備４内の薬剤（消毒剤）と、循環配管洗浄設備７内の薬剤（配管洗浄剤）が同一薬剤である場合、消毒剤添加設備４のみで通常の循環水浄化と浴槽水循環配管２の洗浄とを兼用させることも可能である。例えば、次亜塩素酸ナトリウムは、通常の循環水浄化と浴槽水循環配管２の洗浄とに兼用可能な薬液の１つである。
さらに、浴槽水循環配管２に対する補給水供給源からの補給水の吸水圧力および吸水量が十分である場合には、補給水槽２０を設けずともよい。この場合、補給水槽設置スペースの有効利用が図れ、またコストも削減できる。
さらに、補給水による浴槽水循環配管２の洗浄時には循環ポンプ３を作動させているが、上述のように補給水の吸水圧力が十分である場合には、循環ポンプ３を停止させたままとすることもできる。この場合、浴槽水循環配管２洗浄時のコストを削減できる。
【００３５】
上記実施例１では、浴槽水循環配管２の洗浄作業時の機器類およびバルブを自動制御して、労力の削減、および人件費の削減が図れた。なお、配管コネクタを用いる場合、その配管コネクタの着脱作業は手作業となる。
また、浴槽水循環配管２は、その一部または全部を透明もしくは半透明の配管としてもよい。この場合、浴槽水循環配管２内の生物膜の付着状態を確認することができる。
【００３６】
実施例２．
図５は配管洗浄にクリーニングボールを適用した本発明の循環浄化装置を示すフローシート図であり、図１〜図４と同一部分には同一符号を付して重複説明を省略する。
図５において、４６，４７は浴槽水循環配管２における紫外線照射設備６の前後（一次側と二次側）に設けられた三方弁、４８はその三方弁４６，４７を介して前記浴槽水循環配管２に接続されたバイパス管、４９は前記浴槽水循環配管２の末端側（吐出口９側近傍）に設けられた三方弁、５０は循環配管洗浄設備７に投入されたクリーニングボール、５１は浴槽水循環配管２内のクリーニングボール５０を三方弁４９を介して循環配管洗浄設備７内に導く分岐配管である。
【００３７】
図６（Ａ），（Ｂ）はそれぞれ形状のクリーニングボールを示す図である。図６（Ａ）に示すクリーニングボール５０は球形状をなし、その表面にイガ栗のイガ状突起５０ａを有する全体形状としたものである。図６（Ｂ）に示すクリーニングボール５０は球状表面に突起部をランダムに設けたものである。
このようなクリーニングボール５０の材質は、ゴム製やＰＶＣ性など、浴槽水循環配管２を傷つけず、かつ、浴槽水循環配管２内を循環中に破損しないような材質が用いられる。要するに、浴槽水循環配管２の洗浄に適した材質ならば如何様のものでもよい。その他に、循環するうちに、分解・消滅するような材質のものを用いることも可能である。
【００３８】
この実施例２では、図６（Ａ）に示す球形状のゴム製のクリーニングボール５０を用いた。そのクリーニングボール５０と水を、循環配管洗浄設備７に設けたホッパ内に投入しておき、アスピレーターで循環水が流れることで水を引っ張る力を利用してクリーニングボール５０を浴槽水循環配管２内に投入した。その投入後にホッパを図７に矢印ｃで示すように加圧した。なお、循環配管洗浄設備７と消毒剤添加設備４は同一の配管で浴槽水循環配管２に接続した。
【００３９】
この実施例２において、クリーニングボール５０による浴槽水循環配管２の洗浄運転を行った結果について説明する。その洗浄運転は次の手順で行った。
（１）循環ポンプ３、消毒剤注入ポンプ４ａ、循環配管洗浄設備７のクリーニングボール循環ポンプ  ７ａを全て停止した。
（２）ヘアキャッチャー１４の二次側のバルブ１５を閉止した。
（３）ろ過設備５の前後の三方弁２５，２６をろ過設備バイパス管２７側の流路に切り替えた。
（４）紫外線照射設備６の前後の三方弁４６，４７をバイパス管４８側の流路に切り替えた。
（５）槽１の吐出口９側の三方弁４９を分岐配管５１側の流路に切り替えた。
その状態で循環配管洗浄設備７のクリーニングボール循環ポンプ７ａを起動させたところ、循環配管洗浄設備７内のクリーニングボール５０は、クリーニングボール循環ポンプ７ａの吐出側配管からろ過設備５の一次側三方弁２５→ろ過設備５のバイパス管２７→ろ過設備５の二次側三方弁２６→紫外線照射設備６の一次側三方弁４６→紫外線照射設備６のバイパス管４８→紫外線照射設備６の二次側三方弁４７→槽１の吐出口９側の三方弁４９→分岐配管５１のそれぞれを経由して循環配管洗浄設備７内に戻るという循環サイクルとなった。その結果、浴槽水循環配管２内の生物膜や汚れ物質などをクリーニングボール５０で効率良く捕捉することができた。これにより、浴槽水循環配管２内での生物膜の発生やスライムの発生を抑制することができた。
【００４０】
生物膜や汚れ物質などを捕捉したクリーニングボール５０の回収については、図８および図９に示すように、浴槽水循環配管２の任意の位置に取り出し口５２を設けてクリーニングボール５０を取り出した。図８では、取り出し口５２に開閉弁５３を設けると共に、クリーニングボール受籠５４を配置した。図９では、取り出し口５２内にストレーナ５５を挿入し、そのストレーナ５５を取り出してクリーニングボール５０を回収するようにした。なお、クリーニングボール５０の回収については、図８および図９の方法によらず、図５中のクリーニングボール回収配管５１で循環配管洗浄設備７に戻すようにしてもよい。
【００４１】
ここで、クリーニングボール５０の径は配管径の８０％を推奨するが、配管径は配管の形状に応じて効率のよい径とする。クリーニングボール５０と洗浄薬剤を共に投入することも可能である。
浴槽水循環配管２およびバルブ、ポンプに関しては、クリーニングボール５０がつまらない形状を選定するのは元より、浴槽水循環配管２については、洗浄薬剤を用いる場合は洗浄薬剤に耐久性のある材質を使用する。洗浄薬剤の代わりに熱水使用の場合は鋼管あるいは耐熱性ポリプロピレンなどの耐熱部材を用いる。
【００４２】
実施例３．
図１に示す構造の本発明装置で、浴槽水循環配管２には、抗菌性ＰＶＣ管の原料の樹脂内に銀系抗菌材を添加したものを使用した。消毒剤添加設備４から、槽１（被処理液）までの間とした。
そのことにより、抗菌材を用いた浴槽水循環配管２を使用したことで、全ての浴槽水などの槽内水が、浴槽水循環配管２内を通過するので、槽内水に対して抗菌効果を発揮することが可能になり、病原性微生物（例えば、レジオネラ菌）の濃度を減少することができる。浴槽水循環配管２を通ることにより、２４時間、消毒効果が得られることになった。さらに、消費に費やされた労働力を減らすことができた。
【００４３】
なお、抗菌性を持った浴槽水循環配管２としては次のものが挙げられる。
無機系の抗菌材を担持したゼオライトを未架橋ポリエチレンのぺレット中に、０．３〜１．５添加して押し出し機に供給し、１５０〜１８０℃に加熱して押し出して未架橋ポリエチレン管を８０℃以上で１５〜５０時間加熱して架橋ポリエチレン管を製造する抗菌性の浴槽水循環配管を使用したところ、同様の効果があった。
浴槽水循環配管２の内面に、アルミナ系セラミックＪ，Ｋに一定割合の抗菌性金属である銀、銅Ｌを溶解させ、加圧することによって安定吸着させ、加熱処理により用着させる加工方法によってセラミックの内部に浸透溶着させたものを使用する。
浴槽水循環配管２の内面を、イミダゾール系有機物およびチアゾリン系有機物ならびに重金属塩からなる群から選択される抗菌材が、合成樹脂１００ｗｔ％に対して０．２ｗｔ％〜１１．０ｗｔ％の割合で混入されている合成樹脂で、ライニングしたところ同様の効果があった。
浴槽水循環配管２の内面に、カルボキシ変性スチレンブタジエンを含む複合ポリマーエマルジョンとセラミックス粉とを混合して生成した抗菌材によるライニング層を形成したものを使用したところ同様の効果があった。
【００４４】
以上説明した実施の形態および実施例による本発明の循環浄化装置では、薬剤の注入および紫外線の照射により、被処理水中の消毒可能となるものの、長時間運転することで、配管の内壁に生物膜が生じるのを防止するため、材質の腐食を考慮して、高濃度（５〜１０ｍｇ／Ｌ程度）の塩素剤を注入し、浴槽水循環配管２内を循環させることで、当該配管２内に付着した生物膜の除去が可能となる。また、紫外線照射の他に光触媒、高温消毒など非残留性の消毒を行うこともできる。
【００４５】
上述のように、浴槽水循環配管２内に洗浄薬剤を注入することで、配管を取り外すことなく洗浄を行うことが可能となる。洗浄の薬剤は、洗浄効果のみならず、病原性微生物の除去に有効に働くものを使用する。その洗浄薬剤として、以下に挙げる商品などを使用するとよい。
▲１▼クリーンヒル
▲２▼ダイモ−バイオフィルム
▲３▼浴槽用洗浄・殺菌剤「スパレイジオ」
▲４▼安定化二酸化塩素「ＲＣＣ−４０２ｉ」、活性化剤「ＲＣＣ−３０１」
▲５▼洗浄剤「ラストフラッシュ」、殺菌剤「レジオクロール」
洗浄の頻度は、３時間に一度程度とするが汚染の度合いにより増減することがよい。
そうすることで、配管内を人力に頼ることなく、短時間に洗浄することができ、配管内の閉塞抑制効果がある。それ故に、病原性微生物、例えばレジオネラ菌の増殖抑制にも効果がある。
【００４６】
配管系に注入する消毒に関しては、液体の次亜塩素酸ナトリウムや、固形の次亜塩素酸カルシウム、塩素化イソシアヌル酸等の塩素系薬剤を使用した塩素による消毒が一般的であるが、二酸化塩素で消毒すると、浴槽水中の塩素臭がなく、また塩素より消毒力が強く、なおよい。あるいは、固形の塩素剤をろ過設備に投入することで、ろ過設備の消毒がさらに良好とすることもできる。また、臭素系消毒剤を用いることができる。
洗浄薬剤と消毒薬剤が共通、例えば、次亜塩素酸ナトリウムのような場合は循環配管洗浄設備は消毒剤添加設備と共用できる。
また、塩素臭がある場合でも、空気にイオン風を放散すると、塩素臭が薄められるだけでなく、菌の繁殖が抑制される清浄化作用が生じ、さらに、鎮静作用がある。
循環水利用において、紫外線照射、光触媒、高温消毒等の非残留性の消毒で確実に流入水中の病原性微生物を消毒し、これと併せて、次亜塩素酸ナトリウム、塩素、二酸化塩素等の残留性の消毒剤を備えることにより、被処理水に消毒効果を持続させ、病原性微生物の繁殖を抑える。この組み合わせの場合、残留性消毒剤の注入量は少なくてよいので、残留性消毒剤の臭気等の不快感を軽減し、浴槽利用者に快適な利用環境を提供できる。
消毒剤として、次亜塩素酸ナトリウムを用いる場合、次亜塩素酸ナトリウム生成設備の設置を行うことで、次亜塩素酸ナトリウムの搬入にかかる労力が軽減可能となる。
紫外線照射設備は、低圧ランプ、中圧ランプを用いることができるが、中圧ランプは大型に適しているが、電力が多く必要で、さらに、熱が多くでるので、温度制御が難しくなり、浴槽水には向かないので、普通、低圧ランプを用いる。
しかし、循環水量が多い場合には、中圧ランプ（例えば、２．８ｋｗ）を用いることができる。また、循環水量や汚染度により、低圧ランプ６５Ｗや、低圧高出力型ランプ（１３０Ｗ、２５０Ｗ）などを用いることができる。
本発明装置内の紫外線ランプの点灯には、電力が必要である。これを太陽光発電とインバータとの組み合わせとしたり、風力発電と組み合わせることも、あるいは、夜間電力を利用することもできる。
【００４７】
【発明の効果】
以上のように、この発明によれば、浴槽水循環配管内を洗浄する循環配管洗浄設備を備える構成としたことにより、次にような優れた効果を得ることができる。
（１）  被処理水を、循環ポンプにて本発明装置内を循環させ、次亜塩素酸ナトリウム注入ポンプにて被処理水の消毒を目的とした次亜塩素酸ナトリウムの注入を行う。さらに、ろ過設備にて被処理水中の夾雑物除去を目的としたろ過処理を行い、紫外線照射設備を用いて被処理水中に残留した細菌類の不活化を行うことにより被処理水の浄化を行う装置に、循環配管洗浄設備を設けて、循環配管の洗浄を容易にし、さらに、クリーニングボールを投入することや抗菌配管にすることで循環配管中の微生物発生やスライムの発生を抑制でき維持管理を軽減できる。
（２）  循環水利用において、紫外線照射、光触媒、高温消毒等の非残留性の消毒で確実に流入水中の病原性微生物を消毒し、これと併せて、次亜塩素酸ナトリウム、塩素、二酸化塩素等の残留性の消毒剤を備えることにより、被処理水に消毒効果を持続させ病原性微生物の繁殖を抑える。この組み合わせの場合、残留性消毒剤の注入量は少なくてよいので、残留性消毒剤の臭気等の不快感を軽減し、浴槽利用者に快適な利用環境を提供できる。
（３）  循環を続ける内に、浴槽水循環配管内に病原性微生物（例えば、レジオネラ菌）を含む生物膜が付着するのを、循環配管洗浄設備を設け、浴槽水循環配管内で洗浄剤を循環させることで、浴槽水循環配管の解体をすることなく、浴槽水循環配管内に付着したレジオネラ菌を含む生物膜の除去が可能となる。また、浴槽水循環配管の洗浄に伴う装置停止時間が大幅に短縮される。さらに浴槽内の浴槽水を汚染させないよう、浴槽の入口と出口を接続配管で接続することや、循環配管洗浄設備の曲がり等を最小限にしたり、凹凸配管を最小限にすることで、洗浄効果がよりよくなる。
（４）  本発明装置を長時間運転すると、浴槽水循環配管の内壁に生物膜を生じるのを防ぐため、循環配管洗浄設備より、洗浄薬剤を注入することで、浴槽水循環配管を取り外すことなく洗浄を行うことが可能となる。そうすることで、配管内を人力に頼ることなく、短時間に洗浄することができ、配管内に付着する生物膜による閉塞抑制効果がある。それ故、病原性微生物、例えばレジオネラ菌の増殖抑制にも効果を発揮する。
（５）  洗浄薬剤と消毒薬剤が共通、例えば、次亜塩素酸ナトリウムのような場合は循環配管洗浄設備と消毒剤添加設備が共用でき、装置を増設することなく配管を清浄に保つことができる。
（６）  紫外線照射設備を、浴槽に直付けすると、消毒剤添加設備から浴槽までの汚染源となる浴槽水循環配管がないので、浴槽水循環配管の汚染によるレジオネラ菌等の汚染源とならない。また、紫外線照射設備は浴槽直近であっても紫外線は残留性が無いため、浴槽利用者への消毒作用による害は皆無であるので、このような設置も有効である。
（７）  浴槽水循環配管中を水と共に温泉沈殿物や人体の老廃物等の固形物が流れているので、循環流速が速すぎても遅すぎても固形物が水と共に流れず沈降してしまい管内に堆積してしまう。しかし、適切な流速（例えば、０．６〜２．０ｍ／ｓｅｃ程度）となるように循環ポンプを選定すると、温泉沈殿物や人体からの老廃物の堆積を防止することができ、浴槽水循環配管内の生物膜の生成を抑制することができる。
（８）  循環配管洗浄設備に、クリーニングボールを備えて、浴槽水循環配管に発生したスライムを物理、化学的に除去することで、生物膜や汚れの除去がさらに効率よく行うことができた。浴槽水循環配管内に付着物ができず、微生物が繁殖しないので、ランニングコストが殆どいらない。浴槽水循環配管が配管洗浄のために運転を停止する必要がないので、連続運転が可能となる等の効果が得られた。
（９）  循環配管洗浄設備を備えることで、浴槽水循環配管を取り外すことなく、洗浄を行うことができ、停止時間なしか、あるいは短時間で洗浄を行うことができた。また、浴槽水循環配管を透明にすると、当該配管内部を確認しながら洗浄を行うことができた。それらのことから、洗浄のために作業者が汚れることがなく自動で作業を進行でき維持管理が容易となった。
（１０）  病原性微生物フリーの浴槽水を浴槽などに供給するために、配管に銅、銀、ニッケル等の抗菌部材で内面をコーティングした管などを用いて、スライムの発生がないようにできた。
（１１）浴槽水循環配管に抗菌材を用いる場所発明、費用などの問題がある場合は、消毒剤添加設備から、浴槽までの間を抗菌材を用いた浴槽水循環配管とすると費用が少なく病原性微生物フリーの浴槽水に供給できる。
（１２）浴槽水循環配管に、抗菌材を用いた循環配管を使用したことで、全ての浴槽水が、浴槽水循環配管内を通過するので、浴槽水が病原性微生物フリーの浴槽水とすることが可能になり、病原性微生物（例えば、レジオネラ菌）の濃度を減少することができる。さらに、２４時間、浴槽水循環配管を通ることにより、２４時間、消毒効果が得られることになり、浴槽水循環配管を取り外すことなく、浴槽水循環配管が清浄な状態を保持できるので、消毒に費やされる維持管理作業が軽減できた。
（１３）循環配管洗浄時に、浴槽の入口と出口に接続配管を設けることで、洗浄汚水が浴槽に入らないので、浴槽水を抜かずに済むため、洗浄の前作業の削減や浴槽水の無駄な排水を防止できる。
（１４）これらのことより、本発明の循環浄化装置は、浴槽水循環配管洗浄時に、フランジ接続部（曲がり部やバルブ接続部等）の一部を取り外して開口を設ける必要がない。また、浴槽水循環配管の保温材を取り外す必要がない。このため、浴槽水循環配管の洗浄作業の、労力削減、時間および費用が削減できる。
（１５）短時間で専用の器具も必要とせずに配管洗浄が可能であり、複数の機器が接続・設置されている浴槽水循環配管の流路全体を容易に洗浄でき、循環ポンプの停止時間はわずかですむため、特に公衆浴場や宿泊施設の浴場・温泉などでは、事業を休業する必要がなく、大きなメリットがある。
【図面の簡単な説明】
【図１】この発明の実施の形態１による循環浄化装置の基本構成を示すフローシート図である。
【図２】図１の循環浄化装置を具現化したフローシート図である。
【図３】図３（Ａ）は配管コネクタ接続部の分離状態を示す断面図、図３（Ｂ）は配管コネクタ接続状態を示す図である。
【図４】図４（Ａ）は浴槽水循環時の配管コネクタ接続部付近の断面図、図４（Ｂ）は浴槽水循環配管洗浄時の配管コネクタ接続部付近の断面図である。
【図５】配管洗浄にクリーニングボールを適用した本発明の循環浄化装置を示すフローシート図である。
【図６】クリーニングボールのそれぞれ異なった形状を示す図である。
【図７】クリーニングボール投入手段の一例を示す図である。
【図８】クリーニングボール回収手段の一例を示す図である。
【図９】クリーニングボール回収手段の変形例を示す図である。
【符号の説明】
１  槽
２  浴槽水循環配管
３  循環ポンプ
４  消毒剤添加設備
４ａ  消毒剤注入ポンプ
５  ろ過設備
６  紫外線照射設備
７  循環配管洗浄設備
７ａ  洗浄剤注入ポンプまたはクリーニングボール循環ポンプ
８  吸込口
９  吐出口
１０，１１  三方弁
１２  バイパス管
１３  配管コネクタホース
１４  ヘアキャッチャー
１５  バルブ
１６，１６ａ  排水管
１７  排水槽
１８，１９  バルブ
２０  補給水槽
２１  一次側補給水管
２２  バルブ
２３  二次側補給水管
２４  バルブ
２５，２６  三方弁
２７  ろ過設備バイパス管
２８  熱交換器
３０  吸込口本体または吐出口本体
３１  係合溝
３２  継手本体
３３  ボール嵌合孔
３４  係止ボール
３５  スリーブ
３６  スプリング
３７  シール材
３８  ストッパーリング
３９  締付ナット
４０  Ｏリング
４１  配管コネクタホース
４２  ストレーナ
４３  係止突起
４４  突起部
４５  係合溝
４６，４７  三方弁
４８  バイパス管
４９  三方弁
５０  クリーニングボール
５１  分岐配管
５２  取り出し口
５３  開閉弁
５４  クリーニングボール受籠
５５  ストレーナ
【図１】
2005021496.tif 000003
【図２】
2005021496.tif 000004
【図３】
2005021496.tif 000005
【図４】
2005021496.tif 000006
【図５】
2005021496.tif 000007
【図６】
2005021496.tif 000008
【図７】
2005021496.tif 000009
【図８】
2005021496.tif 000010
【図９】
2005021496.tif 000011